【手続補正書】
【提出日】平成27年6月25日(2015.6.25)
【手続補正１】
【補正対象書類名】明細書
【補正対象項目名】０００６
【補正方法】変更
【補正の内容】
【０００６】
上記課題を解決するため、本発明に係る撮像装置は、
所定の無線通信回線を介して通信する無線通信手段と、撮像手段により撮像された画像データを記録する記録手段と、電源を供給する電源供給手段と、ユーザによる操作手段の所定操作に基づいて、前記電源供給手段から前記撮像手段に対する電源供給を開始させる第１開始制御手段と、前記電源供給手段から前記撮像手段及び無線通信手段に電源が供給されていない状態で、前記記録手段に、送信すべき画像データが記録されているか否かを判定する第１判定手段と、前記第１判定手段により前記送信すべき画像データが記録されていると判定された場合に、前記電源供給手段から前記無線通信手段に対する電源供給及び当該無線通信手段による前記画像データの送信先となる外部機器の探索を開始させる第２開始制御手段と、前記無線通信手段による探索によって前記送信先となる外部機器が発見されたか否かを判定する第２判定手段と、前記第２判定手段により前記送信先となる外部機器が発見されたと判定された場合に、前記記録手段から前記送信すべき画像データを取得して、当該外部機器に対して前記無線通信手段により送信させる送信制御手段と、を備えたことを特徴としている。
【手続補正２】
【補正対象書類名】明細書
【補正対象項目名】０００７
【補正方法】変更
【補正の内容】
【０００７】
また、本発明に係る画像送信方法は、
所定の無線通信回線を介して通信する無線通信手段と、撮像手段により撮像された画像データを記録する記録手段と、電源を供給する電源供給手段とを備える撮像装置を用いた画像送信方法であって、ユーザによる操作手段の所定操作に基づいて、前記電源供給手段から前記撮像手段に対する電源供給を開始させる処理と、前記電源供給手段から前記撮像手段及び前記無線通信手段に電源が供給されていない状態で、前記記録手段に、送信すべき画像データが記録されているか否かを判定する処理と、前記送信すべき画像データが記録されていると判定された場合に、前記電源供給手段から前記無線通信手段に対する電源供給及び当該無線通信手段による前記画像データの送信先となる外部機器の探索を開始させる処理と、前記無線通信手段による探索によって前記送信先となる外部機器が発見されたか否かを判定する処理と、前記送信先となる外部機器が発見されたと判定された場合に、前記記録手段から前記送信すべき画像データを取得して、当該外部機器に対して前記無線通信手段により送信させる処理と、を含むことを特徴としている。
【手続補正３】
【補正対象書類名】明細書
【補正対象項目名】０００８
【補正方法】変更
【補正の内容】
【０００８】
また、本発明に係るプログラムは、
所定の無線通信回線を介して通信する無線通信手段と、撮像手段により撮像された画像データを記録する記録手段と、電源を供給する電源供給手段とを備える撮像装置のコンピュータを、ユーザによる操作手段の所定操作に基づいて、前記電源供給手段から前記撮像手段に対する電源供給を開始させる第１開始制御手段、前記電源供給手段から前記撮像手段及び前記無線通信手段に電源が供給されていない状態で、前記記録手段に、送信すべき画像データが記録されているか否かを判定する第１判定手段、前記第１判定手段により前記送信すべき画像データが記録されていると判定された場合に、前記電源供給手段から前記無線通信手段に対する電源供給及び当該無線通信手段による前記画像データの送信先となる外部機器の探索を開始させる第２開始制御手段、前記無線通信手段による探索によって前記送信先となる外部機器が発見されたか否かを判定する第２判定手段、前記第２判定手段により前記送信先となる外部機器が発見されたと判定された場合に、前記記録手段から前記送信すべき画像データを取得して、当該外部機器に対して前記無線通信手段により送信させる送信制御手段、として機能させることを特徴としている。
【手続補正４】
【補正対象書類名】特許請求の範囲
【補正対象項目名】全文
【補正方法】変更
【補正の内容】
【特許請求の範囲】
【請求項１】
所定の無線通信回線を介して通信する無線通信手段と、
撮像手段により撮像された画像データを記録する記録手段と、
電源を供給する電源供給手段と、
ユーザによる操作手段の所定操作に基づいて、前記電源供給手段から前記撮像手段に対する電源供給を開始させる第１開始制御手段と、
前記電源供給手段から前記撮像手段及び無線通信手段に電源が供給されていない状態で、前記記録手段に、送信すべき画像データが記録されているか否かを判定する第１判定手段と、
前記第１判定手段により前記送信すべき画像データが記録されていると判定された場合に、前記電源供給手段から前記無線通信手段に対する電源供給及び当該無線通信手段による前記画像データの送信先となる外部機器の探索を開始させる第２開始制御手段と、
前記無線通信手段による探索によって前記送信先となる外部機器が発見されたか否かを判定する第２判定手段と、
前記第２判定手段により前記送信先となる外部機器が発見されたと判定された場合に、前記記録手段から前記送信すべき画像データを取得して、当該外部機器に対して前記無線通信手段により送信させる送信制御手段と、
を備えたことを特徴とする撮像装置。
【請求項２】
前記撮像された画像データに当該画像データの外部機器に対する送信を要求する送信要求情報を対応付けて前記記録手段に記録させるよう制御する記録制御手段を更に備え、
前記第１判定手段は、前記記録制御手段によって前記送信要求情報が対応付けられた画像データが前記記録手段に記録されているか否を判定することを特徴とする請求項１に記載の撮像装置。
【請求項３】
前記送信要求情報は、対応付けられている画像データが未だ外部機器に送信されていない旨の情報を含むことを特徴とする請求項２に記載の撮像装置。
【請求項４】
現在の時刻を計時する計時手段を更に備え、
前記送信要求情報は、前記撮像手段により画像データが撮像された際の撮像日時と、当該画像データの撮像後に前記計時手段により逐次計時される日時との比較結果に基づいて設定される情報を含むことを特徴とする請求項２に記載の撮像装置。
【請求項５】
前記送信要求情報は、ユーザによる操作手段の所定操作に基づいて設定される情報を含むことを特徴とする請求項２に記載の撮像装置。
【請求項６】
前記撮像手段による撮像前に、画像データに前記送信要求情報を対応付けて前記記録手段に記録させるか否か判定する第３判定手段を更に備え、
前記記録手段は、前記第３判定手段により前記送信要求情報を対応付けて記録すると判定された場合に、前記撮像手段により撮像された画像データと前記送信要求情報とを対応付けて記録することを特徴とする請求項５に記載の撮像装置。
【請求項７】
前記記録手段に記録されている画像データの再生の際に、前記送信要求情報を対応付けるか否かを判定する第４判定手段を更に備え、
前記記録手段は、前記第４判定手段により前記送信要求情報を対応付けると判定された画像データに前記送信要求情報を対応付けて記録することを特徴とする請求項５に記載の撮像装置。
【請求項８】
所定の無線通信回線を介して通信する無線通信手段と、撮像手段により撮像された画像データを記録する記録手段と、電源を供給する電源供給手段とを備える撮像装置を用いた画像送信方法であって、
ユーザによる操作手段の所定操作に基づいて、前記電源供給手段から前記撮像手段に対する電源供給を開始させる処理と、
前記電源供給手段から前記撮像手段及び前記無線通信手段に電源が供給されていない状態で、前記記録手段に、送信すべき画像データが記録されているか否かを判定する処理と、
前記送信すべき画像データが記録されていると判定された場合に、前記電源供給手段から前記無線通信手段に対する電源供給及び当該無線通信手段による前記画像データの送信先となる外部機器の探索を開始させる処理と、
前記無線通信手段による探索によって前記送信先となる外部機器が発見されたか否かを判定する処理と、
前記送信先となる外部機器が発見されたと判定された場合に、前記記録手段から前記送信すべき画像データを取得して、当該外部機器に対して前記無線通信手段により送信させる処理と、
を含むことを特徴とする画像送信方法。
【請求項９】
所定の無線通信回線を介して通信する無線通信手段と、撮像手段により撮像された画像データを記録する記録手段と、電源を供給する電源供給手段とを備える撮像装置のコンピュータを、
ユーザによる操作手段の所定操作に基づいて、前記電源供給手段から前記撮像手段に対する電源供給を開始させる第１開始制御手段、
前記電源供給手段から前記撮像手段及び前記無線通信手段に電源が供給されていない状態で、前記記録手段に、送信すべき画像データが記録されているか否かを判定する第１判定手段、
前記第１判定手段により前記送信すべき画像データが記録されていると判定された場合に、前記電源供給手段から前記無線通信手段に対する電源供給及び当該無線通信手段による前記画像データの送信先となる外部機器の探索を開始させる第２開始制御手段、
前記無線通信手段による探索によって前記送信先となる外部機器が発見されたか否かを判定する第２判定手段、
前記第２判定手段により前記送信先となる外部機器が発見されたと判定された場合に、前記記録手段から前記送信すべき画像データを取得して、当該外部機器に対して前記無線通信手段により送信させる送信制御手段、
として機能させることを特徴とするプログラム。